(57)【要約】【課題】再生機の音量調節段階数を任意に設定しながら、リモコンによる良好な操作性を確保できる電子ボリューム装置を提供することにある。【解決手段】Ｎ段階の標準スケールでｉ番目の標準音量値Ｄｇａｉｎ［ｉ］（１〜Ｎ）を受信する手段３７１と、標準音量値Ｄｇａｉｎ［ｉ］をｎ段階の固有スケールでｊ番目の固有音量値Ｄｖｏｌ［ｊ］に変換する手段３７３と、電子ボリュームを固有音量値に基づいて制御する手段３７２とを含む。変換手段３７３は、標準音量値Ｄｇａｉｎ［ｉ］と固有音量値Ｄｖｏｌ［ｊ］とのオフセットを記憶する手段と、受信した標準音量値Ｄｇａｉｎ［ｉ］が固有音量値Ｄｖｏｌ［ｊ］とオフセットとの加算値と一致するように、固有音量値Ｄｖｏｌ［ｊ］およびオフセットの少なくとも一方を調整する手段とを具備し、調整手段は固有音量値Ｄｖｏｌ［ｊ］をオフセットに優先して調整する。【選択図】　　　　図３
2004112674.tif 000002
【特許請求の範囲】
【請求項１】
リモートコントローラにより遠隔操作される電子ボリューム装置において、
Ｎ段階の標準スケールでｉ番目の標準音量値Ｄｇａｉｎ［ｉ］（ｉ＝１〜Ｎ）を受信する手段と、
受信した標準音量値Ｄｇａｉｎ［ｉ］を、Ｍ（Ｍ＜Ｎ）段階の固有スケールでｊ番目の固有音量値Ｄｖｏｌ［ｊ］に変換する手段と、
前記固有音量値Ｄｖｏｌ［ｊ］に基づいて減衰率を制御する手段とを具備し、
前記変換手段は、
標準音量値Ｄｇａｉｎ［ｉ］と固有音量値Ｄｖｏｌ［ｊ］とのオフセット値Ｄｏｆｆｓｅｔを記憶する手段と、
受信した標準音量値Ｄｇａｉｎ［ｉ］が前記固有音量値Ｄｖｏｌ［ｊ］とオフセット値Ｄｏｆｆｓｅｔとの加算値と一致するように、固有音量値Ｄｖｏｌ［ｊ］およびオフセット値Ｄｏｆｆｓｅｔの少なくとも一方を調整する手段とを具備し、
前記調整手段が、固有音量値Ｄｖｏｌ［ｊ］をオフセット値Ｄｏｆｆｓｅｔに優先して調整することを特徴とする電子ボリューム装置。
【請求項２】
前記固有音量値Ｄｖｏｌ［ｊ］とオフセット値Ｄｏｆｆｓｅｔとの加算値をリモートコントローラへ予め通知する手段を含むことを特徴とする請求項１に記載の電子ボリューム装置。
【請求項３】
リモートコントローラから通知された標準音量値Ｄｖｏｌ［ｊ］が所定のミュートレベルであると、現在のオフセット値Ｄｏｆｆｓｅｔを待避させると共に固有音量値Ｄｖｏｌ［ｊ］を所定レベルまで低下させることを特徴とする請求項１または２に記載の電子ボリューム装置。
【請求項４】
ミュート状態で標準音量値Ｄｖｏｌ［ｊ］を通知されると、前記待避させたオフセット値Ｄｏｆｆｓｅｔを復帰させ、固有音量値Ｄｖｏｌ［ｊ］を、前記通知された標準音量値Ｄｇａｉｎ［ｉ］とオフセット値Ｄｏｆｆｓｅｔとの和に設定することを特徴とする請求項３に記載の電子ボリューム装置。
【請求項５】
前記電子ボリューム装置は、ブルー・トゥースの規格に準拠した通信手順でリモートコントローラと無線通信することを特徴とする請求項１ないし４のいずれかに記載の電子ボリューム装置。
【発明の詳細な説明】
【０００１】
【発明の属する技術分野】
本発明は、リモートコントローラにより遠隔操作される電子ボリューム装置に係り、特に、ブルー・トゥースの標準仕様で定義された音量調節信号に基づいて遠隔操作される電子ボリューム装置に関する。
【０００２】
【従来の技術】
リモートコントローラ（以下、リモコンと表現する）に設けられた音量調整キーを操作することにより、音響再生機に搭載されている電子ボリュームを遠隔操作する技術が、例えば特開平５−３０８２３０号公報に開示されている。リモコンには音量調整キーとして「＋（プラス）」キーおよび「−（マイナス）」キーが設けられ、音量を最低レベルまで一気に減衰させる「ＭＵＴＥ」キーが更に設けられる場合もある。
【０００３】
一方、世界的な通信規格であるブルー・トゥース（Ｂｌｕｅ　ｔｏｏｔｈ）では、頭部に装着する音響再生機すなわちヘッドセットの音量を、これと無線接続された携帯電話等の音源（ＡｕｄｉｏＧａｔｅｗａｙ）側から遠隔操作するための規格が設定されている。この規格では、音量調節段階数として「０」から「１５」までの１６段階が用意されている。
【０００４】
ここで、例えばテレビとそのリモコンとの間での音量調節では、リモコンからテレビに対して絶対的な音量値が指示されるわけではなく、音量を「一段階上げる」、「一段階下げる」といったように、現在の音量を相対的に変化させる信号が出力される。これに対して、ブルー・トゥース規格に準拠した再生機とリモコン（音源）は、１６段階の音量値を相互に通知し合うことで現在の音量値を認識し合い、現在の音量値が「８」のときにリモコンの「＋」ボタンが押下されれば、リモコンから再生機側へは音量値「９」が指示される。また、再生機側で音量値が「９」から「１０」へ変更されれば、その情報がリモコンへも通知される。したがって、次にリモコン側で「＋」ボタンが押下されれば、リモコンから再生機側へは音量値「１１」が指示される。
【０００５】
【発明が解決しようとする課題】
ヘルメットに設けたヘッドセットの電子ボリュームを車体側リモコンあるいは携帯端末で遠隔操作する場合、ヘッドセットの電子ボリュームは、グローブを装着した状態での操作を考慮すれば、音量調節段階数を減らして簡便化することが望ましい。例えば「ミュート」、「停車時用の小音量」、「低中速時用の中音量」および「高速時用の大音量」といった４段階程度に絞り込むことが望ましい。しかしながら、再生機の音量調節段階数を減じると、以下のような不具合が新たに生じ得る。
【０００６】
図１５において、リモコンの音量調節段階数を、再生機Ａの音量調節段階数「４」に合わせて４段階に減じてしまうと、このリモコンで音量調節段階数が「１０」の再生機Ｂを遠隔操作しても、音量値「５」〜「１０」に対応した信号を出力できないので、再生機Ｂの音量を十分に上げることができない。
【０００７】
一方、このような技術課題に対処すべく、図１６に示したように、リモコン側の各音量調節段階「１」〜「４」に、それぞれ音量値を不連続に割り当てた場合、再生機Ａのように、音量値が各音量調節段階に対して同様に割り当てられていれば良いが、再生機Ｂのように音量調節段階数が「１０」であると、リモコンでは設定できない音量値が存在してしまう。また、再生機Ｃのように音量調節段階が一致していないと、リモコンによる遠隔操作が不能となってしまう。
【０００８】
さらに、図１７に示したように、リモコン側の音量調節段階数が「１６」である場合、音量調節段数が「４」の再生機Ａでは、リモコン側から「１」〜「４」の範囲で音量値が指示されている限りは、指示された音量値に電子ボリュームを制御できる。しかしながら、音量値「４」を超えて「＋」キーが押下され続け、例えば音量値が「８」まで上昇してしまうと、その後、音量を下げるためにリモコンの「−」キーが押下されても、その都度、音量値として「７」、「６」、「５」が通知され、この間は音量値が下がらないので、「−」キーを押下しているにもかかわらず音量が低下しないという不都合が生じる。
【０００９】
また、再生機Ｂのように、音量調節段数が「４」であっても音量値が不連続に割り当てられていると、例えばリモコン側から音量値「５」を通知した後、さらに「＋」キーを押下し続けても、音量値が「１０」に達するまでは音量が上昇しないという不都合が生じる。このような不都合は、再生機Ｃのように音量調節段数を増やしても同様に生じる。
【００１０】
このように、再生機の音量調節段階数をブルー・トゥース標準仕様である「１６」よりも減じてしまうと、リモコンによる操作性が損なわれてしまうという技術課題があった。なお、このような技術課題は再生機の音量調節段階数に適用した専用リモコンを別途に用意すれば解決されるが、機器の汎用性が損なわれて他の機器との組み合わせに支障をきたすので、汎用性を重視するブルー・トゥースの概念にそぐわない。
【００１１】
本発明の目的は、上記した従来技術の課題を解決し、再生機の音量調節段階数を任意に設定しながら、リモコンによる良好な操作性を確保できる電子ボリューム装置を提供することにある。
【００１２】
【課題を解決するための手段】
上記した目的を達成するために、本発明は、リモートコントローラにより遠隔操作される電子ボリューム装置において、Ｎ段階の標準スケールでｉ番目の標準音量値Ｄｇａｉｎ［ｉ］（ｉ＝１〜Ｎ）を受信する手段と、受信した標準音量値Ｄｇａｉｎ［ｉ］を、Ｍ（Ｍ＜Ｎ）段階の固有スケールでｊ番目の固有音量値Ｄｖｏｌ［ｊ］に変換する手段と、前記固有音量値Ｄｖｏｌ［ｊ］に基づいて減衰率を制御する手段とを含む。前記変換手段はさらに、標準音量値Ｄｇａｉｎ［ｉ］と固有音量値Ｄｖｏｌ［ｊ］とのオフセット値Ｄｏｆｆｓｅｔを記憶する手段と、受信した標準音量値Ｄｇａｉｎ［ｉ］が前記固有音量値Ｄｖｏｌ［ｊ］とオフセット値Ｄｏｆｆｓｅｔとの加算値と一致するように、固有音量値Ｄｖｏｌ［ｊ］およびオフセット値Ｄｏｆｆｓｅｔの少なくとも一方を調整する手段とを含む。調整手段は、固有音量値Ｄｖｏｌ［ｊ］をオフセット値Ｄｏｆｆｓｅｔに優先して調整することを特徴とする。
【００１３】
上記した特徴によれば、固有音量値Ｄｖｏｌの上限値を超えた標準音量値Ｄｇａｉｎがリモートコントローラ側から通知されると、電子ボリューム装置では、固有音量値Ｄｖｏｌを上限値に保持したまま、オフセット値Ｄｏｆｆｓｅｔのみを増加させ、その後、標準音量値Ｄｇａｉｎが減少に転じると、固有音量値Ｄｖｏｌをオフセット値Ｄｏｆｆｓｅｔよりも優先的に減じるので、音量を直ちに低下させることができる。
【００１４】
同様に、固有音量値Ｄｖｏｌの下限値を下回る標準音量値Ｄｇａｉｎがリモートコントローラ側から通知されると、電子ボリューム装置では、固有音量値Ｄｖｏｌを下限値に保持したまま、オフセット値Ｄｏｆｆｓｅｔのみを減少させ、その後、標準音量値Ｄｇａｉｎが増加に転じると、固有音量値Ｄｖｏｌをオフセット値Ｄｏｆｆｓｅｔよりも優先的に増加させるので、音量を直ちに増加させることができる。
【００１５】
【発明の実施の形態】
以下、図面を参照して本発明の好ましい実施の形態について詳細に説明する。図１は、本発明の電子ボリューム装置を適用したインターコムによる通信形態の一例を示した図であり、車両Ａには車載無線端末１４が搭載され、各車両Ａ，Ｂの乗員が装着するヘルメット１ａ，１ｂ，１ｃには、マイク１１，スピーカ１２および携帯無線端末１３を含むヘッドセットが装着されている。前記車載無線端末１４および各携帯無線端末１３はブルートゥースの規格に準拠し、これらを収容端末とするピコネット上で、車載無線端末１４がマスタモード、他の無線端末１３がスレーブモードで動作しながら相互に無線通信を行う。
【００１６】
図２は、本発明を適用した携帯無線端末１３の主要部の構成を示したブロック図であり、ここでは、本発明の説明に不要な構成の記述は省略している。
【００１７】
アンテナＡＴはブルートゥース（ＢＴ）モジュールＢＴと接続されている。ＣＰＵ３３は、ＲＯＭ３４に記憶されているプログラムに従って各種の処理を実行する。ＲＡＭ３５は、ＣＰＵ３３が各種の処理を実行する際にデータなどを一時記憶するためのワークエリアを提供する。入出力インターフェース３６には、音量スイッチ３９を含む各種の操作スイッチや表示装置が接続される。音量スイッチ３９は、「＋」キー３９ａ、「−」キー３９ｂおよび「ＭＵＴＥ」キー３９ｃを含む。電子ボリューム装置３７は、音量スイッチ３９の操作に応じた減衰率で入力信号を減衰し、これを増幅器３８へ出力する。
【００１８】
ＢＴモジュールＢＴは、ＲＦユニット３１およびＢＴチップ３２を主要な構成とする。ＢＴチップ３２は、相手端末との間にピコネット内同期を確立する処理や、送受信信号の符号化／復号化処理等を実行する。すなわち、各ＢＴモジュールは送信時に搬送波信号を送信データでデジタル変調し、その被変調搬送波信号を周波数ホッピングによりスペクトラム拡散する。そして、この送信信号を規定値以下の送信出力レベルに増幅した後、アンテナＡＴから通信相手の無線端末に向け送信する。また、通信相手の無線端末から到来した無線信号をアンテナＡＴを介して受信し、これをスペクトラム逆拡散した後にディジタル復調する。
【００１９】
図３は、前記電子ボリューム装置３７の機能ブロック図であり、前記と同一の符号は同一または同等の機能を表している。
【００２０】
標準音量値（Ｄｇａｉｎ）入出力部３７１は、リモートコントローラから通知される標準音量値Ｄｇａｉｎを入力すると共に、電子ボリューム装置３７で更新した標準音量値Ｄｇａｉｎをリモートコントローラへ出力する。前記標準音量値Ｄｇａｉｎは、ブルートゥースの標準規格である１６段音量スケール上で定義される音量値であり、Ｄｇａｉｎ［０］〜Ｄｇａｉｎ［１５］の１６段階のいずれかを採り得る。
【００２１】
標準音量値（Ｄｇａｉｎ）／固有音量値（Ｄｖｏｌ）変換部３７３は、リモートコントローラから通知された標準音量値Ｄｇａｉｎを固有音量値Ｄｖｏｌに変換する。前記固有音量値Ｄｖｏｌは、当該ヘッドセットに固有のｍ段階音量スケール上で定義される音量値であり、Ｄｖｏｌ［１］〜Ｄｖｏｌ［ｍ］のｍ段階のいずれかを採り得る。本実施形態では、ヘッドセットが４段階音量スケールを採用しているので、音量値はＤｖｏｌ［１］〜Ｄｖｏｌ［４］の４段階のいずれかを採り得る。再生音量制御部３７２は、入力信号Ｄｉｎを前記固有音量値Ｄｖｏｌに応じた減衰率で減衰して出力信号Ｄｏｕｔを生成し、これを後段の増幅器３８へ供給する。
【００２２】
次いで、図４、５、６のフローチャートを参照しながら本実施形態の動作を詳細に説明する。なお、各フローチャートは、主に前記標準音量値（Ｄｇａｉｎ）／固有音量値（Ｄｖｏｌ）変換部３７３の動作を示している。
【００２３】
図４のステップＳ１、Ｓ２では、図７に示したように、固有音量値Ｄｖｏｌに初期値として「２」が登録され、オフセット値Ｄｏｆｆｓｅｔに初期値として「０」が登録される。オフセット値Ｄｏｆｆｓｅｔは、固有音量値Ｄｖｏｌと標準音量値Ｄｇａｉｎとの偏差を代表する。ステップＳ３では、標準音量値Ｄｇａｉｎが前記固有音量値Ｄｖｏｌとオフセット値Ｄｏｆｆｓｅｔとの和（Ｄｖｏｌ＋Ｄｏｆｆｓｅｔ）として求められる。ステップＳ４では、標準音量値Ｄｇａｉｎがリモコン側へ通知される。初期状態では前記オフセット値Ｄｏｆｆｓｅｔが「０」なので、ここでは、固有音量値Ｄｖｏｌ［２］がそのまま標準音量値Ｄｇａｉｎとしてリモコン側へ通知される。
【００２４】
ステップＳ５では、リモコンから標準音量値Ｄｇａｉｎが通知されたか否かが判定される。ここで、リモコン側で「＋」キーが２度押下されると、図８に示したように、リモコンからヘッドセットへ標準音量値Ｄｇａｉｎとして「４」が通知される。ヘッドセットでは、この通知をステップＳ５で検知するとステップＳ６へ進み、前記通知された標準音量値Ｄｇａｉｎ［４］に基づいてヘッドセットの再生音量を制御する「遠隔操作処理」が実行される。
【００２５】
図５は、前記「遠隔操作処理」の動作を示したフローチャートであり、ステップＳ６０１では、リモコンから指示された標準音量値Ｄｇａｉｎ［４］が、オフセット値Ｄｏｆｆｓｅｔ［０］と固有音量スケール段階数「４」との和と比較される。ここでは、標準音量値Ｄｇａｉｎ［４］が（Ｄｏｆｆｓｅｔ＋４）よりも小さいのでステップＳ６０２へ進む。ステップＳ６０２では、前記標準音量値Ｄｇａｉｎが、オフセット値Ｄｏｆｆｓｅｔと「１」との和と比較される。ここでは、標準音量値Ｄｇａｉｎが（Ｄｏｆｆｓｅｔ＋１）よりも大きいのでステップＳ６０３へ進む。
【００２６】
ステップＳ６０３では、図８に示したように、標準音量値Ｄｇａｉｎ［４］からオフセット値Ｄｏｆｆｓｅｔ［０］を減じた値「４」が、固有音量値Ｄｖｏｌとして更新登録される。前記再生音量制御部３７２は、前記更新された固有音量値Ｄｖｏｌに応じた減衰率で再生信号Ｄｉｎを減衰させる。
【００２７】
その後、リモコン側で「＋」キーが更に押下されると、図９に示したように、リモコンからヘッドセットに対して「５」の標準音量値Ｄｇａｉｎが通知される。これが前記ステップＳ５で検知されると、図５のステップＳ６０１では、標準音量値Ｄｇａｉｎ［５］が（Ｄｏｆｆｓｅｔ＋４）よりも大きいと判断されるのでステップＳ６１０へ進む。ステップＳ６１０ではミュートフラグＦｍｕｔｅが参照され、ここではミュートフラグＦｍｕｔｅがリセット状態（Ｆｍｕｔｅ＝０）なのでステップＳ６１４へ進む。ステップＳ６１４では、オフセット値Ｄｏｆｆｓｅｔが、図９に示したように、通知された標準音量値Ｄｇａｉｎ［５］から固有音量スケール段階数「４」を減じた値「１」に更新される。ステップＳ６１５では、図９に示したように、固有音量値Ｄｖｏｌとして最大値の「４」が登録される。
【００２８】
このように、本実施形態では新たな標準音量値Ｄｇａｉｎがリモコンから通知されると、この標準音量値Ｄｇａｉｎが固有音量値Ｄｖｏｌとオフセット値Ｄｏｆｆｓｅｔとの和と一致するように、固有音量値Ｄｖｏｌおよびオフセット値Ｄｏｆｆｓｅｔの少なくとも一方を増加させる。但し、固有音量値Ｄｖｏｌをオフセット値Ｄｏｆｆｓｅｔよりも優先的に増加（ステップＳ６０３）させ、固有音量値Ｄｖｏｌを最高値の「４」まで増加させても両者が一致しない場合（すなわち、ステップＳ６０１の判断が否定）のみ、オフセット値Ｄｏｆｆｓｅｔを増加させる（ステップＳ６１４）。
【００２９】
次いで、図１０に示したように、標準音量値Ｄｇａｉｎが「１２」、オフセット値Ｄｏｆｆｓｅｔが「８」、固有音量値Ｄｖｏｌが「４」の状態から、リモコン側で「−」キーが押下されて標準音量値Ｄｇａｉｎ［１１］を通知された場合の動作を説明する。
【００３０】
図５のステップＳ６０１では、通知された標準音量値Ｄｇａｉｎ［１１］が、オフセット値Ｄｏｆｆｓｅｔ「８」と固有音量スケールの段階数「４」との和よりも小さいと判定されるのでステップＳ６０２へ進む。ステップＳ６０２では、通知された標準音量値Ｄｇａｉｎ［１１］が、オフセット値Ｄｏｆｆｓｅｔ［８］と「１」との和よりも大きいと判定されるのでステップＳ６０３へ進む。ステップＳ６０３では、図１０に示したように、標準音量値Ｄｇａｉｎ［１１］からオフセット値Ｄｏｆｆｓｅｔ［８］を減じた値「３」が固有音量値Ｄｖｏｌ「３」として更新登録される。
【００３１】
その後、リモコン側で「−」の音量キーが更に押下されても、標準音量値Ｄｇａｉｎ［９］までは、図１１に示したように、前記ステップＳ６０１〜Ｓ６０３の処理が繰り返されるので、固有音量値Ｄｖｏｌが段階的に「１」まで減ぜられる。ヘッドセットの音量は固有音量値Ｄｖｏｌに依存するので、ここまでは、リモコン側で「−」の音量キーが押下されるごとに音量が低下することになる。
【００３２】
その後、リモコン側で「−」キーが更に押下され、図１２に示したように、標準音量値Ｄｇａｉｎとして「８」が通知されると、前記ステップＳ６０２の判定が否定となるのでステップＳ６０４へ進む。ステップＳ６０４では、固有音量値Ｄｖｏｌが「１」であるか否かが判定され、ここでは「１」と判定されるのでステップＳ６０５へ進む。ステップＳ６０５では、図１２に示したように、オフセット値Ｄｏｆｆｓｅｔが、標準音量値Ｄｇａｉｎ［８］から「１」を減じた値「７」に更新される。
【００３３】
このように、本実施形態では現在よりも低い標準音量値Ｄｇａｉｎがリモコンから通知されると、この標準音量値Ｄｇａｉｎが固有音量値Ｄｖｏｌとオフセット値Ｄｏｆｆｓｅｔとの和と一致するように、固有音量値Ｄｖｏｌおよびオフセット値Ｄｏｆｆｓｅｔの少なくとも一方を減じる。但し、固有音量値Ｄｖｏｌがオフセット値Ｄｏｆｆｓｅｔよりも優先的に減ぜられ（ステップＳ６０３）、固有音量値Ｄｖｏｌを最低値の「１」まで減じても両者が一致しない場合（ステップＳ６０２の判断が否定）のみ、オフセット値Ｄｏｆｆｓｅｔを減じる（ステップＳ６０５）ようにしている。
【００３４】
次いで、図１３に示したように、標準音量値Ｄｇａｉｎが「１２」、オフセット値Ｄｏｆｆｓｅｔが「１０」、固有音量値Ｄｖｏｌが「２」の状態から、リモコン側で「ＭＵＴＥ」キーが押下されて標準音量値Ｄｇａｉｎとして「１」が通知された場合の動作を説明する。
【００３５】
標準音量値Ｄｇａｉｎとして「１」が通知されると、図５のステップＳ６０１が肯定、ステップＳ６０２が否定となるのでステップＳ６０４へ進む。ステップＳ６０４では、固有音量値Ｄｖｏｌが「１」以外と判定されるのでステップＳ６０６へ進む。ステップＳ６０６では、現在のオフセット値Ｄｏｆｆｓｅｔ「１０」が直前オフセット値ｄｏｆｆｓｅｔとして一時的に待避される。ステップＳ６０７では、オフセット値Ｄｏｆｆｓｅｔが標準音量値Ｄｇａｉｎ［１］から「１」を減じた値「０」に更新される。ステップＳ６０８では、固有音量値Ｄｖｏｌに「１」がセットされ、ステップＳ６０９では、ミュートフラグＦｍｕｔｅがセットされる。
【００３６】
次に、いずれかのキーが押下されると、図１４に示したように、リモコンからはミュート直前の標準音量値Ｄｇａｉｎ「１２」が通知される。ステップＳ６０１では、標準音量値Ｄｇａｉｎ「１２」がオフセット値Ｄｏｆｆｓｅｔ「０」と「４」との和よりも大きいと判断されるのでステップＳ６１０へ進む。ステップＳ６１０ではミュートフラグＦｍｕｔｅが参照され、ここでは、ミュートフラグＦｍｕｔｅがセットされていると判定されるのでステップＳ６１１へ進む。ステップＳ６１１では、図１４に示したように、オフセット値Ｄｏｆｆｓｅｔが前記直前オフセット値ｄｏｆｆｓｅｔとして一時的に待避された値「１０」に戻される。ステップＳ６１２では、固有音量値Ｄｖｏｌが、前記通知された標準音量値Ｄｇａｉｎ「１２」からオフセット値Ｄｏｆｆｓｅｔ「１０」を減じた値「２」に更新される。ステップＳ６１３では、ミュートフラグＦｍｕｔｅがリセットされる。
【００３７】
図４へ戻り、ステップＳ７において、ヘッドセットに設けられた音量スイッチ３９の操作が検知されると、ステップＳ８の「直接操作処理」が実行される。
【００３８】
図６は、前記「直接操作処理」の動作を示したフローチャートであり、ステップＳ８０１では押下されたキーが判定される。「＋」キーが操作されていると、ステップＳ８０２では、現在の固有音量値Ｄｖｏｌが「１」，「２」，「３」のいずれかであるか否かが判定される。「１」〜「３」のいずれかであれば、ステップＳ８０３において、固有音量値Ｄｖｏｌが「１」だけ増加される。固有音量値Ｄｖｏｌが「４」であれば、そのまま終了する。
【００３９】
一方、前記ステップＳ８０１において、「−」キーが操作されたと判定されると、ステップＳ８０４では、現在の固有音量値Ｄｖｏｌが「２」，「３」，「４」のいずれかであるか否かが判定される。「２」〜「４」のいずれかであれば、ステップＳ８０５において、固有音量値Ｄｖｏｌが「１」だけ減ぜられる。固有音量値Ｄｖｏｌが「１」であれば、そのまま当該処理を終了する。
【００４０】
図４へ戻り、ステップＳ３では、標準音量値Ｄｇａｉｎが固有音量値Ｄｖｏｌとオフセット値Ｄｏｆｆｓｅｔとの和（Ｄｖｏｌ＋Ｄｏｆｆｓｅｔ）として求められる。ステップＳ４では、標準音量値Ｄｇａｉｎがリモコン側へ通知される。
【００４１】
【発明の効果】
本発明によれば、以下のような効果が達成される。
（１）リモコン側の音量スケールと再生機側の音量スケールとが一致していない場合でも、リモコン側で行った音量調節を再生機側に正確に反映させることができる。
（２）リモコン側から再生機側の最高音量値を上回る音量値を通知し続けていても、リモコン側から音量を下げる通知を出力すれば、再生機の音量を直ちに下げることができる。
（３）リモコン側から再生機側の最低音量値を下回る音量値を通知し続けていても、リモコン側から音量を上げる通知を出力すれば、再生機の音量を直ちに上げることができる。
【図面の簡単な説明】
【図１】本発明を適用したインターコムによる通信形態の一例を示した図である。
【図２】本発明を適用した車載無線端末および無線端末の通信系統の構成を示したブロック図である。
【図３】本発明の一実施形態である電子ボリューム装置の主要部の構成を示したブロック図である。
【図４】電子ボリューム装置における音量調節動作のフローチャートである。
【図５】図４の「遠隔操作処理」のフローチャートである。
【図６】図４の「直接操作処理」のフローチャートである。
【図７】電子ボリューム装置における音量調節動作を模式的に表現した図（その１）である。
【図８】電子ボリューム装置における音量調節動作を模式的に表現した図（その２）である。
【図９】電子ボリューム装置における音量調節動作を模式的に表現した図（その３）である。
【図１０】電子ボリューム装置における音量調節動作を模式的に表現した図（その４）である。
【図１１】電子ボリューム装置における音量調節動作を模式的に表現した図（その５）である。
【図１２】電子ボリューム装置における音量調節動作を模式的に表現した図（その６）である。
【図１３】電子ボリューム装置における音量調節動作を模式的に表現した図（その７）である。
【図１４】電子ボリューム装置における音量調節動作を模式的に表現した図（その）である。
【図１５】従来技術の課題を説明するための図である。
【図１６】従来技術の課題を説明するための図である。
【図１７】従来技術の課題を説明するための図である。
【符号の説明】１１…マイク，１２…スピーカ，１３…携帯無線端末，１４…車載無線端末，３１…ＲＦユニット，３２…ＢＴチップ，３３…ＣＰＵ，３４…ＲＯＭ，３５…ＲＡＭ，３６…入出力インターフェース，３７…電子ボリューム装置，３８…増幅器，３９…音量スイッチ，３７１…標準音量値入出力部，３７３…標準音量値／固有音量値変換部，３７２…再生音量制御部
【図１】
2004112674.tif 000003
【図２】
2004112674.tif 000004
【図３】
2004112674.tif 000005
【図４】
2004112674.tif 000006
【図５】
2004112674.tif 000007
【図６】
2004112674.tif 000008
【図７】
2004112674.tif 000009
【図８】
2004112674.tif 000010
【図９】
2004112674.tif 000011
【図１０】
2004112674.tif 000012
【図１１】
2004112674.tif 000013
【図１２】
2004112674.tif 000014
【図１３】
2004112674.tif 000015
【図１４】
2004112674.tif 000016
【図１５】
2004112674.tif 000017
【図１６】
2004112674.tif 000018
【図１７】
2004112674.tif 000019
【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
リモートコントローラにより遠隔操作される電子ボリューム装置において、
Ｎ段階の標準スケールでｉ番目の標準音量値Ｄｇａｉｎ［ｉ］（ｉ＝１〜Ｎ）を受信する手段と、
受信した標準音量値Ｄｇａｉｎ［ｉ］を、Ｍ（Ｍ＜Ｎ）段階の固有スケールでｊ番目の固有音量値Ｄｖｏｌ［ｊ］に変換する手段と、
前記固有音量値Ｄｖｏｌ［ｊ］に基づいて減衰率を制御する手段とを具備し、
前記変換手段は、
標準音量値Ｄｇａｉｎ［ｉ］と固有音量値Ｄｖｏｌ［ｊ］とのオフセット値Ｄｏｆｆｓｅｔを記憶する手段と、
受信した標準音量値Ｄｇａｉｎ［ｉ］が前記固有音量値Ｄｖｏｌ［ｊ］とオフセット値Ｄｏｆｆｓｅｔとの加算値と一致するように、固有音量値Ｄｖｏｌ［ｊ］およびオフセット値Ｄｏｆｆｓｅｔの少なくとも一方を調整する手段とを具備し、
前記調整手段が、固有音量値Ｄｖｏｌ［ｊ］をオフセット値Ｄｏｆｆｓｅｔに優先して調整することを特徴とする電子ボリューム装置。
【請求項２】
前記固有音量値Ｄｖｏｌ［ｊ］とオフセット値Ｄｏｆｆｓｅｔとの加算値をリモートコントローラへ予め通知する手段を含むことを特徴とする請求項１に記載の電子ボリューム装置。
【請求項３】
リモートコントローラから通知された標準音量値Ｄｃｏｍ［ｉ］が所定のミュートレベルであると、現在のオフセット値Ｄｏｆｆｓｅｔを待避させると共に固有音量値Ｄｖｏｌ［ｊ］を所定レベルまで低下させることを特徴とする請求項１または２に記載の電子ボリューム装置。
【請求項４】
ミュート状態で標準音量値Ｄｃｏｍ［ｉ］を通知されると、前記待避させたオフセット値Ｄｏｆｆｓｅｔを復帰させ、固有音量値Ｄｖｏｌ［ｊ］を、前記通知された標準音量値Ｄｇａｉｎ［ｉ］とオフセット値Ｄｏｆｆｓｅｔとの和に設定することを特徴とする請求項３に記載の電子ボリューム装置。
【請求項５】
前記電子ボリューム装置は、ブルー・トゥースの規格に準拠した通信手順でリモートコントローラと無線通信することを特徴とする請求項１ないし４のいずれかに記載の電子ボリューム装置。